(57)【特許請求の範囲】
【請求項１】
軸芯に嵌合孔を有する外筒と該嵌合孔に嵌合する内筒とをピン群の出入りによって回動可又は否とするシリンダー錠であって、前記外筒には複数列の各列に複数個の軸芯方向に貫通するピン孔が穿設され該ピン孔列の各対抗位置前後方向に複数の通し溝が設けられ該各通し溝の後端末部に突出部が先端を前記嵌合孔周面上にあるように固着突設され、前記内筒は前端にフランジ部をもち軸芯に沿ってキー挿入溝が穿設され前記嵌合孔への嵌合時において前記外筒のピン孔に連通可能な同数一列のピン孔が穿設され、組立て時において連通する前記外筒及内筒のピン孔の少なくとも一つにはボトムピン、チェンジピン、ドライバー及びスプリングよりなるピン群が挿入され且つ残余の該ピン孔にはボトムピン、ドライバー及びスプリングよりなるピン群が挿入され、前記内筒のピン孔と連通しない前記外筒のピン孔には対応する前記ピン群よりドライバー及びスプリングが挿入され、前記各ピン群は前記外筒より突出不能とされ、正常キーは前記各ピン孔の移動によって回動可能とされ、不正常キーは後端部が前記突出部との当接によって挿入不能とされ、前記ピン群への前記チェンジピンの付加列数を加減して所望数の正常キーを得ることを特徴とする可変式シリンダー錠。
【請求項２】
外筒外周面に後端面から軸芯に平行な蟻溝形の嵌合溝を設け、前記嵌合溝に穿設されたピン孔に各ピン群が挿入され、前記嵌合溝に孔埋板を圧入して前記各ピン群を前記外筒より突出不能としたことを特徴とする請求項１に記載の可変式シリンダー錠。
【発明の詳細な説明】
【０００１】
【発明の属する技術分野】
本発明は、開閉に用いるキーを変更可能なシリンダー錠の改良に関する。
【０００２】
【従来の技術】
従来可変式錠前として、ピンシリンダー錠で例えば特公平２−４６７４２号公報記載のものがあり差込み式の可変キー（チェンジキー）という別のキーを用意しこれによってピンの組合わせを変更せしめて使用キーを変更可能としていた。また、手前にシリンダーを押出してボックス式のキーを用いて操作するいわゆる八万ロックと呼ばれる可変式シリンダー錠があった。
【０００３】
【発明が解決しようとする課題】
前記従来可変式シリンダー錠のうち、特公平２−４６７４２号公報記載のものは使用キーに変更するために可変キーという第３のキーを準備する必要があり、複数のキーを変更する場合に変更の順序が決まっていたり、変更回数に限度があったりして、使い勝手上の不便があった。
一方いわゆる八万ロックでは、キーの変更の順序が決まっておらず、変更回数に限度もないが、ピンが前表面に露出しているため解読されたり破壊（ピッキング）されやすいという重大な欠点があった。
本発明においては、従来可変式シリンダー錠のようにピンが露出することもなく、第３のキーを準備する必要がなく、変更の順序が任意で、変更回数を多種簡易に選択可能で、ピッキングに対して防護が強力に計れ使い勝手に優れた可変式シリンダー錠を得ることを目的とする。
【０００４】
【課題を解決するための手段】
この目的を達成するために、
請求項１の発明にあっては、軸芯に嵌合孔を有する外筒と該嵌合孔に嵌合する内筒とをピン群の出入りによって回動可又は否とするシリンダー錠であって、前記外筒には複数列の各列に複数個の軸芯方向に貫通するピン孔が穿設され該ピン孔列の各対抗位置前後方向に複数の通し溝が設けられ該各通し溝の後端末部に突出部が先端を前記嵌合孔周面上にあるように固着突設され、前記内筒は前端にフランジ部をもち軸芯に沿ってキー挿入溝が穿設され前記嵌合孔への嵌合時において前記外筒のピン孔に連通可能な同数一列のピン孔が穿設され、組立て時において連通する前記外筒及内筒のピン孔の少なくとも一つにはボトムピン、チェンジピン、ドライバー及びスプリングよりなるピン群が挿入され且つ残余の該ピン孔にはボトムピン、ドライバー及びスプリングよりなるピン群が挿入され、前記内筒のピン孔と連通しない前記外筒のピン孔には対応する前記ピン群よりドライバー及びスプリングが挿入され、前記各ピン群は前記外筒より突出不能とされ、正常キーは前記各ピン孔の移動によって回動可能とされ、不正常キーは後端郎が前記突出部との当接によって挿入不能とされ、前記ピン群への前記チェンジピンの付加列数を加減して所望数の正常キーを得ることを特徴とする可変式シリンダー錠により解決した。
請求項２の発明にあっては、外筒外周面に後端面から軸芯に平行な蟻溝形の嵌合溝を設け、前記嵌合溝に穿設されたピン孔に各ピン群が挿入され、前記嵌合溝に孔埋板を圧入して前記各ピン群を前記外筒より突出不能としたことを特徴とする請求項１に記載の可変式シリンダー錠とすることができる。
【０００５】
【発明の実施の形態】
本発明の実施の形態を図面に基づき以下詳細に説明する。
図１は、本発明の可変式シリンダー錠の一例の構成要素の前側より視た概略斜視図で、（ａ）内筒と外筒の組立て、（ｂ）外筒、（ｃ）内筒、（ｄ）孔埋板、（ｅ）ピン列を示す。
図２は、図１の本発明の可変式シリンダー錠の後側より視た概略斜視図で、（ａ）外筒、（ｂ）内筒を示す。
図３は、図１の可変式シリンダー錠の通常位置における、（ａ）正面図、（ｂ）キー非挿入時のＡ・Ａ断面図、（ｃ）キー非挿入時のＢ・Ｂ断面図、（ｄ）第一正常キー挿入時のＡ・Ａ断面図である。
図４は、図３の第一正常キー挿入時の可変位置における、（ａ）正面図、（ｂ）Ｃ・Ｃ断面図、（ｃ）Ｄ・Ｄ断面図、（ｄ）（ｃ）からキー引抜き時のＤ・Ｄ断面図である。
図５は、各位置におけるピン列の変化を示す横断図で、左より１列目、２列目、３列目を示し、（ａ）は図３（ｂ）及び（ｃ）に対応、（ｂ）は図３（ｃ）及び（ｄ）に対応、（ｃ）は図４（ｂ）及び（ｃ）に対応、（ｄ）は図４（ｂ）及び（ｄ）にそれぞれ対応する。
図６は、図１の可変式シリンダー錠への第二正常キー挿入時の（ａ）可変位置におけるＤ・Ｄ断面図、（ｂ）通常位置におけるＡ・Ａ断面図、（ｃ）（ｂ）のＢ・Ｂ断面図である。
図７は、各位置におけるピン列の変化を示す横断図で、左より１列目、２列目、３列目を示し、（ａ）は図４（ｂ）及び図６（ａ）に対応、（ｂ）は図６（ｂ）及び（ｃ）それぞれ対応する。
図８は、図１の可変式シリンダー錠への第三正常キーの通常位置挿入時におけるＡ・Ａ断面図で、（ａ）当初、（ｂ）途中（ｃ）完了時を示す。
図９は、図１の可変式シリンダー錠への不正常キーの挿入時における、（ａ）Ａ・Ａ断面図、（ｂ）１列目横断図である。
以上各図においては、共通する一部図については記載省略し、下記説明の該当箇所において詳述する。
各構成要素の位置関係の説明は使用状態で行い、キーを挿入する入口側を前又は手前、キーが挿入される側を後又は奥として説明する。
【０００６】
本発明の一例の可変式シリンダー錠１（以下において、単にシリンダー錠１と略称する）は、外筒２、内筒３、二種類のピン群４、５及び孔埋板６を有している。
外筒２は図１（ｂ）において、略円筒状外筒本体２１の軸芯部に嵌合孔２０が穿設され、外筒本体２１外周面に後端面２１ｂら前端面２１ａの僅かに後にまで達し軸芯に平行で中心線と軸芯を結ぶ平面が５０度の角度をもった位置に平面視において略Ｕ字形浅底で蟻溝形の嵌合溝２２、２３が設けられ、嵌合溝２２、２３の中心線に沿って各列６個の嵌合孔２０に達する同径のピン孔２４、２５が穿設されている。ピン孔２４は最後部の２４ａより順次２４ｂ、２４ｃ、２４ｄ、２４ｅ、２４ｆまで、ピン孔２５は最後部の２５ａより順次２５ｂ、２５ｃ、２５ｄ、２５ｅ、２５ｆまでからなり、最後部から順次２４ａと２５ａ、２４ｂと２５ｂ・・・・・・２４ｆと２５ｆとはそれぞれ前後同距離で、それぞれ等ピッチにおかれている。嵌合孔２０の前端面２１ａ側及び後端面２１ｂ側にそれぞれ軸方向長さが僅かの大径部２６ａ及び２６ｂが同軸で設けられ、嵌合溝２２の対向位置に略方形断面の通し溝２８及び嵌合溝２３の対向位置に略方形断面の通し溝２７がそれぞれ前後に軸芯と平行に設けられて、通し溝２７、２８の間には略三角形断面の境界突起２９が形成されている。更に、通し溝２７の後端末部に垂直方向に各ピン孔２５の中心を結ぶ線の方向に向けて先端丸みをもって突出する突出部２７ａ及び通し溝２８の後端末部に垂直方向に各ピン孔２４の中心を結ぶ線の方向に向けて先端丸みをもった突出部２８ａがそれぞれ先端を嵌合孔２０の周面上にあるように突設されている。突出部２７ａ、２８ａは本例では先端丸みをもったピン状体を外筒２外面側より軸芯に向かって穿設された孔に埋込んで外面を長さの短い孔埋板（図示省略）で押さえているが、必ずしもこの構成でなくともよく、通し溝２７、２８に固着によって突出させてもよい。ここで、嵌合溝２２、２３及びピン孔２４、２５の中心線と軸芯を結ぶ平面の角度は５０度に限定されないが、ピン孔２４、２５の形成が確実にでき又操作性の面からして５０度前後が好ましい。又ピン孔２４、２５の数は６個に限定されず複数個であればよく、各ピッチは必ずしも等ピッチでなくてもよい。
内筒３は図１（ｃ）において、略円筒状内筒本体３１の前端にフランジ部３２が形成され、外筒２の嵌合孔２０に内筒本体３１及び大径部２６ａにフランジ部３２が回動可能に嵌合され、嵌合孔２０に内筒本体３１が最も奥まで嵌着されたときに外筒２の前端面２１ａとフランジ部３２の前端面３２ａは面一となるようにされている。内筒３の前端面３２ａには軸芯と交差する方向に断面略方形のキー回動溝３２ｄが設けられ、前端面３２ａから後端面３１ｂまで軸芯に沿って断面略凸形のキー挿入溝３２ｃが貫通されている。キー回動溝３２ｄはキーが挿入されたときキーの山部側面側が嵌着可能で、キー挿入溝３２ｃはキーが挿入されたときキーの山部上側の部分が嵌着可能な大きさで、キー挿入溝３２ｃ左側面に比し右側面が短くとられキーがその形状に合わせて挿入し易くしてある。内筒本体３１の後端末には周方向のスリット３１ｃを介して周囲にねじが螺刻されている連結部３１ａが連設され縁部丸みをもたせた後端面３１ｂが形成されている。内筒本体３１の外周面には、嵌合孔２０に内筒本体３１が最も奥まで嵌着されたときにピン孔２４の下方に同芯で前後キー挿入溝３２ｃの断面略凸形の頭部に貫通可能となる位置にピン孔２４と連通可能な一列に６個のピン孔３３（最後部の３３ａより順次３３ｂ、３３ｃ、３３ｄ、３３ｅ、３３ｆまでからなる）が穿設されている。ピン孔３３はピン孔２５の下方にまで内筒本体３１を回動したときもピン孔２４と同様連通可能となる。ピン孔３３の径は、通常ピン孔２４、２５の径より僅かに小径にとることにより後述するピン群Ａ列４とＢ列５キーの挿入作業がやり易くなるが、必ずしもこれに限定されない。又ピン孔３３の径は、挿入溝３２ｃの幅より僅かに大きくとられ、ピン孔３３の軸芯側底面はキー挿入溝３２ｃの短くとられている右側面と同じレベルの所で止められており、このためピン孔３３の軸芯側底面のキー挿入溝３２ｃへの出口はピン孔３３がオリフィス状に狭められた狭隘部を有している。
【０００７】
図１（ｅ）において、ピン群はＡ列４とＢ列５からなり、それぞれ孔２４、２５に遊嵌され上下可能な直径をもっている。Ａ列ピン群４はボトムピン４１、チェンジピン４２、ドライバー４３、スプリング４４よりなり、Ｂ列ピン群５はボトムピン５１、ドライバー５３、スプリング５４よりなる。これらのＡ列ピン群４、Ｂ列ピン群５を構成する各要素は通常のピンシリンダー錠において公知のものであって、ボトムピン４１、５１は下端に丸みをもった円筒体で、チェンジピン４２は円筒体又は球体で、ドライバー４３、５３は円筒体で上端部にスプリング４４、５４下端部が嵌着可能な溝が形成され、スプリング４４、５４は通常コイルばねである。本例では、各６個のピン孔２４、２５、３３に対しＡ列ピン群４を３列、Ｂ列ピン群５を３列用いているがその配分は、変更可能なキーの数によって変更されるが、少なくともＡ列ピン群４が１列は含まれる必要がある。詳細後述するが、外筒２のピン孔２４の２４ａ、２４ｂ、２４ｃの３列、ピン孔２５の２５ａ、２５ｂ、２５ｃの３列及び内筒３のピン孔３３の３３ａ、３３ｂ、３３ｃとがそれぞれ選択して組合わされそれとＡ列ピン群４との組合わせによって作動可能とされている。外筒２、内筒３、Ａ列ピン群４の組合わせは最後部から順次１列目、２列目、３列目・・・６列目として説明する。
図１（ｄ）において、孔埋板６は、ピン群４、５の飛出しを防止するため嵌合溝２２、２３に圧入可能なように嵌合溝２２、２３の溝形に合わせた略Ｕ字形薄厚の２枚の板状材であり、中部６ａは方形状で、前端部６ｂは丸味をもち、後端部６ｃは嵌合溝２２、２３に圧入するときの把手として使用し易いように僅かにテーパーをもたせて幅広に形成されている。
その他、連結部３１ａに嵌着されるスリット３１ｃに対する止め輪３１ｄ、内筒３の回動角を規制するカム３１ｅ、例えばナット等の固着具３１ｆを有しているが、この部分の構成はシリンダー錠１に連結される他の錠前構造によって変動する。シリンダー錠１に用いられるキーは、公知のもので板材で手で握って施解錠の操作を行う握り部７１と該握り部からピン群４、５に対応する形状に形成されて突設されている山部７２とからなっている。
前記した例では、ピン孔２４、２５、３３はそれぞれ等ピッチにとられておりこれが好ましいが、必ずしも等ピッチに限定されない。各ピン孔及びこれに遊嵌されるピン群４、５はそれぞれ同径にとられるのが通常で好ましいが必ずしも同径に限定されない。外筒２の嵌合溝２２、２３及びピン孔２４、２５は２列として説明したがこの２列以外の他の角度において解錠してキーを引抜く仕様の場合には、その角度にも同様にピン孔、嵌合溝及び突出部を設けることができる。又キー回動溝３２ｄはキー回動のための力が軽減可能であり設けるのが好ましいが必ずしもなくてもよく、その場合はキー挿入溝３２ｃの側壁へのキーによる加圧によってなされる。更に嵌合溝２２、２３及び孔埋板６を廃し、外筒本体２１表面をパイプ状のもので被覆することとしてもよいが、ピン孔２４、２５を個別に点検調整する場合に対処するため嵌合溝２２、２３及び孔埋板６を用いるのが好ましい。
【０００８】
図１（ａ）において、シリンダー錠１の組立ては、外筒２の嵌合孔２０に内筒３の内筒本体３１を嵌合し内筒本体３１を最も奥まで嵌着し大径部２６ａにフランジ部３２を嵌着し外筒２の前端面２１ａとフランジ部３２の前端面３２ａを面一とし、後端面２１ｂの大径部２６ａの間隙においてスリット３１ｃにとめ輪３１ｄを嵌着しその後側にカム３１ｅ、固着具３１ｆを順次装着してセットする。ピン孔２５と３３を向合わせとなるように内筒本体３１を回動して、連通するピン孔２５、３３の１列目２５ａ＋３３ａ、２列目２５ｂ＋３３ｂ、３列目２５ｃ＋３３ｃにそれぞれピン群４の高さをそれぞれ変更したボトムピン４１、チェンジピン４２、ドライバー４３とスプリング４４の組を挿入し、連通する４列目２５ｄ＋３３ｄ、５列目２５ｅ＋３３ｅ、６列目２５ｆ＋３３ｆにピン群５の高さをそれぞれ変更したボトムピン５１、ドライバー５３とスプリング５４の組を挿入し、孔埋板６を嵌合溝２３に圧入して飛出しを抑える。次にピン孔２４の１列目２４ａ、２列目２４ｂ、３列目２４ｃにボトムピン４１、チェンジピン４２を無くしドライバー４３とスプリング４４だけの組を挿入し、４列目２４ｄ、５列目２４ｅ、６列目２４ｆにボトムピン５１を無くしドライバー５３とスプリング５４だけの組を挿入し、孔埋板６を嵌合溝２２に圧入して飛出しを抑える。この後、キー溝３２ｃに所定の合鍵を差込んで各ピン列のいずれかのシアラインを揃えてピン孔２４の位置まで５０度（図１では時計回り）回動し、この位置において合鍵を引抜くと、内筒３のピン孔３３に挿入されて移動した部分がピン孔２４に挿入済みの部分と合流し、図３（ｂ）、（ｃ）に示す当初配列状態となる。
【０００９】
次に、図３乃至７に基づいてシリンダー錠１の作動手順について説明する。
図３（ａ）のＡ・Ａ方向すなわちピン孔２４、３３の中心線と通し溝２８の中心線が一致し、正面視において一致するキー回動溝３２ｄと通し溝２８の左右壁面と上方におかれたキー挿入溝３２ｃとによって断面略凸形のキー挿入部が形成された状態を通常位置として説明する。一方、図４（ａ）のＤ・Ｄ方向すなわちピン孔２５、３３の中心線と通し溝２７の中心線が一致し、正面視において一致するキー回動溝３２ｄと通し溝２７の左右壁面と斜め上方におかれたキー挿入溝３２ｃとによって断面略凸形のキー挿入部が形成された状態を可変位置として説明する。
先ず、図３（ｂ）、（ｃ）の当初配列状態からスタートする。通常位置においてキー非挿入時には、図３（ａ）のＡ・Ａ断面は図３（ｂ）に示す通り、ピン孔２４、３３に挿入されている場合ピン群４、５は１列目にはボトムピン４１、チェンジピン４２、ドライバー４３、スプリング４４が、２列目及び３列目にはボトムピン４１、ドライバー４３、スプリング４４が、４列目〜６列目にはボトムピン５１、ドライバー５３、スプリング５４がそれぞれ配設され、各列の軸芯側先端は前記したピン孔３３のキー挿入溝３２ｃへの出口の狭隘部において整列され、いずれの部分にいてもシアラインは形成されておらず施錠可能となる。図３（ａ）のＡ・Ａ断面から５０度反時計方向にずれたＢ・Ｂ断面では図３（ｃ）に示す通り、１列目にはドライバー４３とスプリング４４が、２列目及び３列目にはチェンジピン４２、ドライバー４３及びスプリング４４が、４列目〜６列目にはドライバー５３とスプリング５４がそれぞれ配設され、下端はそれぞれ内筒本体３１の表面上に揃っておかれている。
図３（ｂ）、（ｃ）の当初配列状態において、通常位置において第一正常キーＸ１を挿入した場合は、図３（ｄ）にＡ・Ａ断面を示す通り、１列目〜３列目ではチェンジピン４２とドライバー４３の間、４列目〜６列目ではボトムピン５１とドライバー５３との間にシアラインが形成され開錠可能となる。この場合Ｂ・Ｂ断面は、図３（ｃ）と同様の状態であり記載を省略してある。
【００１０】
次に図３（ｄ）に示す第一正常キーＸ１を挿入した状態から、５０度反時計方向Ｒに回動し図４（ａ）ＤＤ断面の可変位置に移動した場合においては、図４（ｂ）のＣ・Ｃ断面においては、第一正常キーＸ１とともに移動した部分の残りで１列目〜３列目ではドライバー４３とスプリング４４が、４列目〜６列目ではドライバー５３とスプリング５４がそれぞれ配設され、ドライバー４３、５３の下端はそれぞれ内筒本体３１の表面上に揃っておかれている。このとき図４（ｃ）にＤ・Ｄ断面を示す通り、１列目〜３列目にはボトムピン４１、チェンジピン４２、ドライバー４３及びスプリング４４が、４列目〜６列目にはボトムピン５１、ドライバー５３及びスプリング５４がそれぞれ配設され、１列目ではチェンジピン４２とドライバー４３の間、２列目及び３列目ではボトムピン４１とチェンジピン４２の間、４列目〜６列目にはボトムピン５１とドライバー５３の間にそれぞれシアラインが形成される。
この位置において、第一正常キーＸ１を引抜いた場合のＤ・Ｄ断面は図４（ｄ）に示す通りで、各列の軸芯側先端は前記したピン孔３３のキー挿入溝３２ｃへの出口の狭隘部において整列され、いずれの部分にいてもシアラインは形成されておらず、Ｃ・Ｃ断面は図４（ｂ）と同様の状態であり記載を省略してある。
【００１１】
図５に示すのは、１列目〜３列目のピン列の前記各作動に対応した動きを説明するための横断図で、下記左側の図５各図はそれぞれ右側の各図に対応し、図５各図の左側が１列目、中央が２列目、右側が３列目を示し、各図において同様の構成要素は符号記載を一部省略してある。
図５（ａ）：図３（ｂ）、（ｃ）      図５（ｂ）：図３（ｄ）
図５（ｃ）：図４（ｃ）              図５（ｄ）：図４（ｂ）、（ｄ）
図５（ａ）（ｂ）においては、通常位置の上下連通しているピン孔２４、３３には１列目にピン群４のボトムピン４１、チェンジピン４２、ドライバー４３、スプリング４４が挿入され、２列目、３列目にはピン群４からチェンジピン４２だけを抜いて挿入されている。又通常位置から５０度ずれたピン孔２５に１列目にドライバー４３、スプリング４４が挿入され、２列目、３列目にはチェンジピン４２、ドライバー４３、スプリング４４が挿入されている。
図５（ｃ）（ｄ）においては、可変位置の上下連通しているピン孔２５、３３には１列目〜３列目にボトムピン４１、チェンジピン４２、ドライバー４３、スプリング４４が挿入されている。又可変位置から５０度ずれたピン孔２４には１列目〜３列目にドライバー４３、スプリング４４が挿入されている。
【００１２】
次に第一正常キーＸ１から第二正常キーＸ２に変更する場合の作動手順を説明する。
図４（ｄ）に示すＤ・Ｄ断面の状態の可変位置において、他の第二正常キーＸ２を挿入した場合のＤ・Ｄ断面を図６（ａ）に示す。このときＣ・Ｃ断面は図４（ｂ）と同様の状態であり記載を省略してある。シアラインが１列目ではボトムピン４１とチェンジピン４２の間、２列目及び３列目ではチェンジピン４２とドライバー４３の間、４列目〜６列目にはボトムピン５１とドライバー５３の間にそれぞれ形成され、図４（ｃ）に示す第一正常キーＸ１を用いた場合と異なっている。
次いで、図６（ａ）に示す状態から第二正常キーＸ２を図４（ａ）に示す方向Ｒと反対の時計方向に５０度回動すると、図３（ａ）に示すＡ・Ａ断面の通常位置に戻り、そのときのＡ・Ａ断面は図６（ｂ）にＢ・Ｂ断面は図６（ｃ）に示す通りとなり、Ａ・Ａ断面では１列目にはボトムピン４１、ドライバー４３及びスプリング４４が、２列目、３列目にはボトムピン４１、チェンジピン４２、ドライバー４３及びスプリング４４が、４列目〜６列目にはボトムピン５１、ドライバー５３及びスプリング５４がそれぞれ配設され、シアラインが１列目ではボトムピン４１とドライバー４３の間、２列目及び３列目ではチェンジピン４２とドライバー４３の間、４列目〜６列目にはボトムピン５１とドライバー５３の間にそれぞれ形成され、Ｂ・Ｂ断面では１列目にはチェンジピン４２、ドライバー４３及びスプリング４４が、２列目及び３列目にはドライバー４３とスプリング４４が、４列目〜６列目にはドライバー５３とスプリング５４がそれぞれ配設され、下端はそれぞれ内筒本体３１の表面上に揃っておかれている。
図７に示すのは、１列目〜３列目のピン列の前記各作動に対応した動きを説明するための横断図で、前記図５各図において説明したと同様である。
図７（ａ）：図４（ｂ）、図６（ａ）    図７（ｂ）：図６（ｂ）、（ｃ）
図７（ａ）においては、可変位置の上下連通しているピン孔２５、３３には１列目〜３列目にピン群４のボトムピン４１、チェンジピン４２、ドライバー４３、スプリング４４が挿入されている。又可変位置から５０度ずれたピン孔２４には１列目〜３列目にドライバー４３、スプリング４４が挿入されている。
図７（ｂ）においては、通常位置の上下連通しているピン孔２４、３３には１列目にピン群４からチェンジピン４２だけを抜いて挿入され、２列目及び３列目にボトムピン４１、チェンジピン４２、ドライバー４３、スプリング４４が挿入されている。通常位置から５０度ずれたピン孔２５には１列目にピン群４からボトムピン４１だけを抜いて挿入され、２列目及び３列目にドライバー４３、スプリング４４が挿入されている。
前記した可変位置と通常位置での操作手順に従って第一正常キーＸ１から第二正常キーＸ２への変更が容易に行える。本例では、チェンジピン４２を付加したピン群４が３列用いられているので、この組合わせ位置によって８通りの可変正常キーが選択可能であるが、例えば４列とすれば１６通りとなり、チェンジピン４２を付加した列数を加減すれば所望の可変可能数が得られる。
【００１３】
図８は第三正常キーＸ３をＡ・Ａ断面の通常位置において挿入した場合であって（ａ）当初位置、（ｂ）途中位置、（ｃ）完了時位置を示す。
第三正常キーＸ３は、山部７２の上方には凹凸部７２ａ、下方には先端より握り部７１までに前向き上がり勾配の先端直線状傾斜部７２ｂと中部平坦部７２ｃと前向き上がり勾配の後端直線状傾斜部７２ｄと後端平坦部７２ｅとを有している。
図８（ａ）において、握り部７１を手で握ってキー回動溝３２ｄ、通し溝２８及びキー挿入溝３２ｃとによって断面略凸形に形成されたキー挿入部に前側より後側へ矢印Ｐ方向に第三正常キーＸ３を挿入し中部平坦部７２ｃを通し溝２８上面をスライドさせる。図８（ｂ）の位置に達すると、傾斜部７２ｂが突出部２８ａに当接し同時に傾斜部７２ｄが通し溝２８の前端末部に当接し、更に矢印Ｐ方向に第三正常キーＸ３を押込むと傾斜部７２ｂ、７２ｄの傾斜面に案内されて次第に矢印Ｐ方向に対し垂直上方に競上がる。更に矢印Ｐ方向に第三正常キーＸ３を押込み図８（ｃ）の位置に達すると、傾斜部７２ｂは突出部２８ａを乗越えて平坦部７２ｃ下面が突出部２８ａに乗移り、一方平坦部７２ｅ下面が通し溝２８に乗移って停止する。図８（ａ）、図８（ｂ）、図８（ｃ）に示すキー挿入時の各位置における第三正常キーＸ３の移動軌跡は直進→傾斜→直進の階段状に進行する。
【００１４】
図９は不正常キーＹをＡ・Ａ断面の通常位置において挿入した場合であって（ａ）Ａ・Ａ断面図、（ｂ）１列目横断図を示す。この場合は、図８において説明した正常キーの場合と異なり、図８（ｂ）に相当した位置に達すると、一列目においてピン孔２４の孔埋板下面から嵌合孔２０までの深さＨがチェンジピン４２の高さｈ１とドライバー４３の高さｈ２の和より小さくとられているので、１列目にピン列のスプリング４４が上方に完全に圧縮されてそれ以上は短くとることができなくなり、このためにボトムピン４１の下端と不正常キーＹの凹凸部７２′ａ先端が当たり、傾斜部７２′ｂが突出部２８ａに当接しこれ以上矢印Ｐ方向へは押込むことができず、このため不正常キーＹは使用不能となる。
又ピン列２５においても同様に突出部２７ａの存在によってと不正常キーＹは使用不能となる。このことは、不正常キーの使用を不能ならしめるのに有効に作用する。
【００１５】
【発明の効果】
本発明の可変式シリンダー錠は、ピンが露出することもなく、変更のために第３のキーを準備する必要がなく、変更の順序が任意で、変更回数を多種簡易に選択可能で、ピッキングに対して防護が強力に計れ使い勝手に優れている。
【図面の簡単な説明】
【図１】図１は、本発明の可変式シリンダー錠の一例の構成要素の前側より視た概略斜視図で、（ａ）内筒と外筒の組立て、（ｂ）外筒、（ｃ）内筒、（ｄ）孔埋板、（ｅ）ピン列を示す。
【図２】    図１の本発明の可変式シリンダー錠の後側より視た概略斜視図で、（ａ）外筒、（ｂ））内筒を示す。
【図３】図１の可変式シリンダー錠の通常位置における、（ａ）正面図、（ｂ）キー非挿入時のＡ・Ａ断面図、（ｃ）キー非挿入時のＢ・Ｂ断面図、（ｄ）第一正常キー挿入時のＡ・Ａ断面図である。
【図４】図３の第一正常キー挿入時の可変位置における、（ａ）正面図、（ｂ）Ｃ・Ｃ断面図、（ｃ）Ｄ・Ｄ断面図、（ｄ）（ｃ）からキー引抜き時のＤ・Ｄ断面図である。
【図５】図５は、各位置におけるピン列の変化を示す横断図で、左より１列目、２列目、３列目を示し、（ａ）は図３（ｂ）及び（ｃ）に対応、（ｂ）は図３（ｄ）及び（ｃ）に対応、（ｃ）は図４（ｂ）及び（ｃ）に対応、（ｄ）は図４（ｂ）及び（ｄ）にそれぞれ対応する。
【図６】図１の可変式シリンダー錠への第二正常キー挿入時の（ａ）可変位置におけるＤ・Ｄ断面図、（ｂ）通常位置におけるＡ・Ａ断面図、（ｃ）（ｂ）のＢ・Ｂ断面図である。
【図７】各位置におけるピン列の変化を示す横断図で、左より１列目、２列目、３列目を示し、（ａ）は図４（ｂ）及び図６（ａ）に対応、（ｂ）は図６（ｂ）及び（ｃ）にそれぞれ対応する。
【図８】図１の可変式シリンダー錠への第三正常キーの通常位置挿入時におけるＡ・Ａ断面図で、（ａ）当初、（ｂ）途中（ｃ）完了時を示す。
【図９】図１の可変式シリンダー錠への不正常キーの挿入時における、（ａ）Ａ・Ａ断面図、（ｂ）１列目横断図である。
【符号の説明】
１  シリンダ錠
２  外筒
２０  嵌合孔
２１  外筒本体
２１ａ、３２ａ  前端面
２１ｂ、３１ｂ  後端面
２２、２３  嵌合溝
２４、２５、３３  ピン孔
２６ａ、２６ｂ  大径部
２７、２８  通し溝
２７ａ、２８ａ  突出部
２９  境界突起
３  内筒
３１  内筒本体
３１ａ  連結部
３１ｃ  スリット
３１ｄ  止め輪
３１ｅ  カム
３１ｆ  固着具
３２  フランジ部
３２ｃ  キー挿入溝
３２ｄ  キー回動溝
４、５  ピン群
４１、５１  ボトムピン
４２、５２  チェンジピン
４３、５３  ドライバー
４４、５４  スプリング
６  孔埋板
６ａ  中部
６ｂ  前端部
６ｃ  後端部
７１  握り部
７２  山部
７２ａ、７２′ａ  凹凸部
７２ｂ、７２ｄ、７２′ｂ  傾斜部
７２ｃ、７２ｅ  平坦部
Ｘ１〜Ｘ３  正常キー
Ｙ  不正常キー
【図１】
0003702405.tif 000002
【図２】
0003702405.tif 000003
【図３】
0003702405.tif 000004
【図４】
0003702405.tif 000005
【図５】
0003702405.tif 000006
【図６】
0003702405.tif 000007
【図７】
0003702405.tif 000008
【図８】
0003702405.tif 000009
【図９】
0003702405.tif 000010